(57)【要約】      （修正有）【課題】災害時の停電等によるインターネットの通信途絶を携帯電話の通信回線を使うことにより通信途絶を防ぐ機能を有したブロードバンドルータを提供する。【解決手段】本発明は宅内のブロードバンドルータ４に災害時の（特に停電時の）通信手段を確保するための機能として、電池１０及び災害時にも通信維持がしやすい携帯電話９との接続機能を持たせる。これにより、緊急時にＷＡＮ側との通信を携帯電話網により一時的に確保する。【選択図】図２
2008085965.tif 000002
【特許請求の範囲】
【請求項１】
インターネット通信網に接続可能なルータにおいて、ＵＳＢインターフェースを持つことを特徴とするブロードバンドルータ。ブロードバンドルータとしては有線によるアクセス機能と、無線によるアクセス機能を持つことを特徴とするブロードバンドルータ
【請求項２】
請求項１のルータはＵＳＢインターフェースを持ちそのＵＳＢインターフェースにＵＳＢ接続対応の携帯電話を接続し、ルータより携帯電話に対して発信操作を行い、ルータを携帯電話網に接続し携帯電話網を利用して非常時のデータ通信を実行できることを特徴とする有線、無線対応のブロードバンドルータ。
【請求項３】
請求項２により通常のＷＡＮ接続と緊急時の携帯電話を利用した携帯電話網を切り替えて利用することが可能でルータはブロードバンド通信を周辺の通信機器に提供可能なインターネット接続を行えることを特徴とするブロードバンドルータ。
【請求項４】
請求項１のルータ非常時に外部バッテリーより電源供給を受け、はデータダウンロード時にデータ保存先としてパソコンを介さずにデータを保存するためにルータ内にデータ保存機器のインターフェースであるＵＳＢインターフェースをもつ事を特徴とする請求項１記載ルータ。
【発明の詳細な説明】
【技術分野】
【０００１】本発明は、インターネット網に接続可能なブロードバンドルータにおいてＵＳＢインタフェースを有しＵＳＢ接続可能な携帯電話を用いて災害時、特に停電時でもルータの接続回線を携帯電話網に切り替えることによりインターネットへの接続を行える機能を有したブロードバンドルータに関するものである。ここから書き始めます。
【背景技術】
【０００２】近年、一般家庭でのブロードバンドへの常時接続はＡＤＳＬや光ファイバー網の普及、ＣＡＴＶ網により多くの人々が利用している。これらのブロードバンド回線と通信機器は電力供給されることによりそれぞれの機能維持している。更にＩＰ電話機能を標準で搭載されるサービスも普及しており、生活における多くの通信をブロードバンドに依存するようになっている。
しかし、これらのブロードバンド機器は電力供給により維持されており、一端電力供給が停止すると通信は不可能になってしまう。
【発明の開示】
【発明が解決しようとする課題】
【０００３】本発明の目的は、主に以下の課題を解決することにある。【０００４】図１において従来ブロードバンド通信システムは災害における固定通信網の切断や電力供給の停止時は機能しなくなってしまう。このときでも通話機能においては一般に普及した携帯電話により通話可能である。本発明は災害に対して比較的強い通信手段である携帯電話の通信網を利用することによりブロードバンド通信を維持することを可能にしたブロードバンドルータである。【０００５】本発明におけるブロードバンドルータは停電時の電力遮断からの復帰のため電池駆動による動作手段を有する。【０００６】企業等では停電時の対策のためバックアップ電源等を使用し、一時的に電力供給を行い最低限の通信のための電力を供給することが可能である。また、企業等ではバックアップ回線を用意することで災害時の被害を最小限にとどめる努力をしている。
しかし、一般家庭では、緊急時の通信維持のためバックアップ電源を大規模に持つことは不可能である。また災害時、固定通信網が途絶した場合は通信機器に電力供給しても通信は回復できないし通信の手段は携帯電話等だけに限られてしまう。
【課題を解決するための手段】
【０００７】本発明は、災害時に発生する可能性が高いブロードバンド通信システムへの電力供給停止と固定通信網の切断による家庭内のブロードバンド通信環境を一時的に維持するため、通信機器の中心的な存在であるルータに、携帯電話網への通信手段を付加して電池によるルータへの電力供給を行う機能持たせるルータを特徴とする。【０００８】上記課題を解決するために本発明は、災害時のブロードバンド回線の障害や停電時の通信機器への電力供給停止で家庭内のブロードバンド通信機能が長時間失われるのを防ぐために、通信機器の中心的な存在であるブロードバンドルータに着目して災害時でも通信能力を維持し、家庭でも取り扱いしやすいバックアップ電池を用いて通信機器に対して電力を供給し通信網として電話線や光ファイバー網ではなく災害に強い、携帯電話網を使用して通信を維持することを可能にしたブロードバンドルータである。
ＵＳＢ接続が可能な携帯電話をブロードバンドルータのＵＳＢインターフェースに接続して携帯電話を介して携帯電話網に接続し携帯電話網を利用してインターネット接続することにより一時的に家庭内でブロードバンド通信を利用可能な環境を提供できる障害時でも通信機能を維持できる機能を付加したブロードバンドルータである。【０００９】図１は現在多く使われている家庭内におけるブロードバンド通信設備のシステム図である。１は光回線またはＡＤＳＬ通信で使用される電話回線である。２は光終端末もしくはＡＤＳＬ回線であればＡＤＳＬモデムである。３は光終端末もしくはＡＤＳＬモデムからの信号を流すためのＬＡＮ回線になる。４は無線ルータである。５は通信端末としてＰＣをあげた。４と５は無線接続により通信しブロードバンド回線１を通してインターネット網に接続される。【００１０】通信機器である２、４、５はそれぞれ２はＡＣ電源より電力供給を受けて動作する。
４の無線ルータは７より電力供給受けて動作する。５はＡＣ電源からの電力供給とＰＣ自体に搭載するＬｉ−ｉｏｎ電池で動作可能である。
災害時は、特に停電時は６、７、８への電力供給が停止し２、４は通信機器としての機能を失う。５のＰＣにおいてはＡＣ電源からの電力供給が絶たれても５自体に搭載する電池によりしばらくは動作可能である。【００１１】災害時はこのように通信機器への電力供給が絶たれると家庭内におけるブロードバンド通信システムは停止してしまう。
さらに災害時は固定通信網の破壊も発せする可能性があるため１仮に６と７を緊急時に非常用バッテリィで動作可能にしたとしても１のインフラである通信回線が切断されているためブロードバンド通信環境を維持することはできない。【００１２】図２は災害時発生時のブロードバンド通信システムを表したものである。
１は固定通信網で、災害により通信線が切断されている。通信機器２と４における電力供給は停電により行われていない。
家庭内において十分に普及可能なバックアップ電池により４のルータへの電力供給を行う。４のルータはインターネット網への接続のため１１ＵＳＢケーブルで接続された携帯電話より携帯電話網を通してインターネット網へ接続する。４のルータは無線または有線ルータであり、電池駆動の５ＰＣと接続し、ユーザはルータを介してルータに接続された携帯電話により携帯電話網を介してインターネットに接続することができる。
【発明の効果】
【００１３】本発明のルータは、災害時、特に固定通信網の切断と停電が重なった状況になった場合でも、ユーザは自分の持っている携帯電話を使用して、携帯電話をルータにＵＳＢ接続することにより携帯電話網を介したブロードバンド環境を簡単に再構築してＰＣ等の通信機器に対してブロードバンド通信環境を提供可能なルータである。【００１４】ルータは停電になっても電池駆動による電力供給を用いて動作できるため停電時でも家庭内の複数の機器に対してブロードバンド通信環境を提供可能である。
【発明を実施するための最良の形態】
【００１５】本発明の第１の発明は、ルータ携帯電話と接続可能なＵＳＢインターフェースを搭載する。ＵＳＢインターフェースはそのソフトウェアに携帯電話による携帯電話網への発信操作ができるソフトウェアを追加している。ソフトウェアはルータに取り付けられたスイッチ、またはＰＣよりルータのユーザインターフェースに対して携帯電話による携帯電話網への接続動作を行う機能を有している。【００１６】ルータは携帯電話網への接続が完了すると、その通信環境を家庭内の複数の通信端末に対して提供できる。これにより災害時でも一時的に電池による電力供給が続く限りブロードバンド環境が維持できるようになる。【００１７】以下、本発明の実施の形態について、図３〜図４を用いて説明する。
【発明を実施するための最良の形態】
【００１８】以下、本発明の実施の形態について説明する。【００１９】図３は本発明のルータブロック図である。
１４はルータのユーザインターフェースを含むアプリケーション部である。１５はルータの無線通信制御部、１６はルータに搭載されるＵＳＢインターフェースと接続される携帯電話を制御するための制御用ソフトウェア部である。１７はルータの基本機能であるルーティング制御部。１３は災害時に接続する携帯電話である。１１は携帯電話とルータを接続するためのＵＳＢケーブルとなる。１８はルータが無線ＬＮＡルータである場合通信端末と通信するためのアンテナである。
１９はＡＣ電源より電力供給をうけて充電可能な非常用電池である。図３では非常用電池はルータに通常時電力供給するＡＣ電源回路の一部として表してある。電池は停電時に接続してもよく通常時は外しておくことも可能である。【００２０】通常時はルータは図１のように接続し家庭内におけるブロードバンド通信環境を提供する。
非常時は図２のように接続し図３に示したように災害時の固定通信網の切断と停電時の電力供給の停止に対して対策を行う。【００２１】災害発生時、ルータは固定網に対する通信接続の手段と駆動用の電力供給を失う。電力供給停止に対しては１９の電池によりルータの駆動電力を供給する。【００２２】次にブロードバンド通信の回復のため、ユーザが所有する１３携帯電話にＵＳＢケーブルを接続する。携帯電話と接続したＵＳＢケーブル他端はルータのＵＳＢインターフェースに接続する。【００２３】ユーザは次に携帯電話を携帯電話網に接続するため、ルータに付加された発信ボタン、または１４アプリケーションより携帯電話を携帯電話網に対して接続する一連のアプリケーションを起動しルータを携帯電話網に接続する。携帯電話網を介してルータはブロードバンド通信接続を回復し１５無線通信部よりＰＣに対してブロードバンド通信環境を提供することになる。【００２４】携帯電話は携帯電話が保持する電池の駆動により動作する。ルータはルータの電源回路の一部である１９電池により動作する。ＰＣはノートＰＣ等に標準で搭載される電池により動作する。これによりそれぞれの電池が消耗するまでの間ブロードバンド通信環境を維持できることになる。【００２５】本発明は災害発生時にも通常使用する通信機器を用いて最低限機器を動作させることによりブロードバンド通信環境維持し通信手段を確保するルータを提供することにある。
【産業上の利用可能性】
【００２６】本発明は、家庭内のルータにおいて通常使用する通信機器を災害発生時でも通信可能な状態にするための新しい機能を付加し家庭内のブロードバンド通信環境に対して災害に対しての耐性を持たせる事にある。
【図面の簡単な説明】
【００２７】
【図１】家庭内におけるブロードバンド通信機器の接続例である。
【図２】災害発生時の本発明ルータの接続例である。
【図３】災害対策ルータのブロック図である。
【符号の説明】
【００２８】１  光ファイバー、または電話線。
２  光終端末またはＡＤＳＬモデム。
３  ＬＡＮ回線
４  災害対策ルータ。
５  ＰＣ（ノートパソコン）。
６  ＡＣ電力供給ケーブル。
７  ＡＣ電力供給ケーブル。
８  ＡＣ電力供給ケーブル。）
９  携帯電話
１０  ルータ用非常時電池
【図１】
2008085965.tif 000003
【図２】
2008085965.tif 000004
【図３】
2008085965.tif 000005